(57)【要約】【課題】  ダンパー材の無駄な使用をしなくて済む構造の対物レンズ駆動装置を提供すること。【解決手段】対物レンズ２の駆動時において、共振を抑制させるためのダンパー材１６を保持する１対の保持部５１を、レンズホルダを支持する弾性支持部材４における基端部の固定端とは、ダンパー材１６が充填されない中空部５３を介して前記レンズホルダ３側に離間配置させることにより、ダンパー効果のあまりない基端部近傍にはダンパ材を保持させないようにした。【選択図】    図２
2007066411.tif 000002
【特許請求の範囲】
【請求項１】
対物レンズが取り付けられたホルダと、このホルダにその先端側が、また前記ホルダに対向配置されたホルダ支持部材にその基端側が、それぞれ固定され前記ホルダを少なくともフォーカス方向及びトラッキング方向の何れか一方へ移動可能に支持する弾性支持部材と、前記ホルダ支持部材のトラッキング方向両側に設けられ、前記弾性支持部材を囲繞するように充填されるダンパー材を保持する一対の保持部と、前記ホルダの前記移動のための電磁力を付与する電磁駆動手段とを具備する対物レンズ駆動装置において、
前記１対の保持部は、前記弾性支持部材における基端側の固定端とはダンパー材が充填されない空間部を介して前記ホルダ側に離間配置されていることを特徴とする対物レンズ駆動装置。
【請求項２】
請求項１において、前記１対の保持部は、内壁面から構成されていることを特徴とする対物レンズ駆動装置。
【請求項３】
請求項１または２において、前記空間部は、少なくとも前記対物レンズの光軸とほぼ平行な方向において開放状態となるように形成されていることを特徴とする対物レンズ駆動装置。
【請求項４】
請求項３において、前記弾性支持部材は複数本からなり、各弾性支持部材は、前記光軸とほぼ平行な方向に間隔を空けて前記トラッキング方向と直交する方向に延設されていることを特徴とする対物レンズ駆動装置。
【請求項５】
請求項１ないし４において、前記１対の保持部は、前記ホルダ支持部材と一体形成されていることを特徴とする対物レンズ駆動装置。
【請求項６】
請求項１ないし５において、前記1対の保持部は前記基端側近傍に配置されていることを特徴とする対物レンズ駆動装置。
【請求項７】
請求項１ないし６において、前記ダンパー材は前記内壁面のみで保持されていることを特徴とする対物レンズ駆動装置。
【請求項８】
請求項１ないし７において、前記内壁面は前記弾性支持部材の延設方向に直交する方向全体にわたり取り囲むように形成されていることを特徴とする対物レンズ駆動装置。
【請求項９】
請求項１ないし８において、前記ダンパー材は流動性を有する粘性弾性体であることを特徴とする対物レンズ駆動装置。
【発明の詳細な説明】
【技術分野】
【０００１】
本発明は、ＣＤやＤＶＤなどの光ディスクの記録、再生を行う光ヘッド装置の対物レンズ駆動装置に関するものである。さらに詳しくは、対物レンズの支持構造に関するものである。
【背景技術】
【０００２】
ＣＤやＤＶＤ等の光ディスクの記録、再生を行う光ヘッド装置の対物レンズ駆動装置として、対物レンズをワイヤで支持するものがよく知られている。
【０００３】
対物レンズはこれを保持するホルダに固定され、このホルダと固定部材との間に複数本の導電性ワイヤを懸架し、対物レンズをフォーカシング及びトラッキング方向に移動可能に支持し、磁気駆動回路により、フォーカシング及びトラッキング方向に駆動している。前記固定部材には、凹部状の空間部を設け、この空間部に弾性支持部材の一端側を囲撓するように粘弾性材のシリコンゲルを充填し、共振時の振動レベルを抑制している。（例えば特許文献１参照）
【特許文献１】実用新案登録第２５２１５６４号公報
【発明の開示】
【発明が解決しようとする課題】
【０００４】
上記特許文献１には、複数の弾性支持部材が１つの大きな空間部に配置されたものと、各弾性支持部材をそれぞれ異なる凹部に配置したものとが開示されている。しかしながら、前者は、ダンパ材の充填スペースである空間部が大きく設けられているため、ダンパー材が多量に必要となり、ダンパー材は比較的高価であり、コスト面から望ましくはない、という問題がある。他方、後者は各弾性部材をそれぞれ１つの断面円形の凹部に配置し該凹部内にダンパー材を充填したものであるが、凹部全体にわたりダンパー材を充填するためダンパー効果を期待できない部位までダンパ材が充填されやはり無駄が生じている。
【０００５】
以上の問題点に鑑みて、本発明の課題は、ダンパー材の無駄な使用をしなくて済む構造の対物レンズ駆動装置を提供することにある。
【課題を解決するための手段】
【０００６】
上記課題を解決するために、本発明では、対物レンズが取り付けられたホルダと、このホルダにその先端側が、また前記ホルダに対向配置されたホルダ支持部材にその基端側が、それぞれ固定され前記ホルダを少なくともフォーカス方向及びトラッキング方向の何れか一方へ移動可能に支持する弾性支持部材と、前記ホルダ支持部材のトラッキング方向両側に設けられ、前記弾性支持部材を囲繞するように充填されるダンパー材を保持する一対の保持部と、前記ホルダの前記移動のための電磁力を付与する電磁駆動手段とを具備する対物レンズ駆動装置において、前記１対の保持部は、前記弾性支持部材における基端側の固定端とはダンパー材が充填されない空間部を介して前記ホルダ側に離間配置されていることを特徴とする。
【０００７】
また、本発明では、前記１対の保持部は、内壁面から構成されていることが好ましい。このようにすると、ダンパー材を充填、保持しやすくなる。
【０００８】
また、本発明では、前記空間部は、少なくとも前記対物レンズの光軸とほぼ平行な方向において開放状態となるように形成されていることが好ましい。このように構成すると、ダンパ材の充填状態を空間部の開放端側から容易に確認できる。また、ダンパー材に紫外線硬化型粘性弾性体を使用する場合には、前記貫通孔の両側開口から紫外線を照射でき作業性が向上する。
【０００９】
さらに、本発明では、前記弾性支持部材は複数本からなり、各弾性支持部材は、前記光軸とほぼ平行な方向に間隔を空けて前記トラッキング方向と直交する方向に延設されていることが好ましい。このような場合、前記空間部の開放端側から同時に複数の弾性支持部材を囲繞するダンパー材の充填状況を確認できる。
【００１０】
さらにまた、本発明では、前記１対の保持部は、前記ホルダ支持部材と一体形成されていることが好ましい。このようにすれば、ダンパー材の保持部を別途設ける必要が無い。
【００１１】
さらにまた、本発明では、前記1対の保持部は前記基端側近傍に配置されていることが好ましい。このような構成であれば、弾性支持部材の移動量はそれほど大きくならないため、ダンパー材が充填される貫通孔を大きくする必要がなく、装置の小型化に有利となる。即ち、保持部をレンズホルダに近づけて配置した場合には、弾性支持部材の移動量が大きくなり、貫通孔ひいて保持部全体を大きくする必要があり、装置の大型化を招き望ましくない。
【００１２】
また、本発明では、前記ダンパー材は前記内壁面のみで保持されていることが好ましい。この構成では、ダンパー材保持部と弾性支持部材の固定端との間にダンパー材が充填されない空間部を形成でき、ダンパー効果に寄与しない部位にダンパー材を充填しなくて済むのでダンパー機能を損なうことなくダンパー材の使用量を低減できる。
【００１３】
さらにまた、本発明では、前記内壁面は前記弾性支持部材の延設方向に直交する方向全体にわたり取り囲むように形成されていることが好ましい。このような構成にすると、ダンパー材充填時にダンパー材を確実に保持できる。
【００１４】
また、本発明では、前記ダンパー材は流動性を有する粘性弾性体であることが好ましい。このような粘性弾性体を使用すれば、徐々に内壁面に溜まっていくため気泡ができずらい。
【発明の効果】
【００１５】
本発明にかかる対物レンズ駆動装置では、対物レンズが取り付けられたホルダと、このホルダにその先端側が、また前記ホルダに対向配置されたホルダ支持部材にその基端側が、それぞれ固定され前記ホルダを少なくともフォーカス方向及びトラッキング方向の何れか一方へ移動可能に支持する弾性支持部材と、前記ホルダ支持部材のトラッキング方向両側に設けられ、前記弾性支持部材を囲繞するように充填されるダンパー材を保持する一対の保持部と、前記ホルダの前記移動のための電磁力を付与する電磁駆動手段とを具備する対物レンズ駆動装置において、前記１対の保持部は、前記弾性支持部材における基端側の固定端とはダンパー材が充填されない空間部を介して前記ホルダ側に離間配置されている。従って、ダンパ効果が殆んどない弾性支持部材基端側の固定端近傍にはダンパ材を保持させず、前記固定端から空間部を介して配設された１対の保持部のみにダンパ材を保持させることで、ダンパ材使用量（充填量）を大幅に削減できる。
【発明を実施するための最良の形態】
【００１６】
以下、本発明を実施するための最良の形態を図面に基づいて説明する。
【００１７】
図１は、本発明が適用される対物レンズ駆動装置におけるダンパ材充填前の前方斜め上方からみた斜視図を示し、図２および図３は、いずれも本発明が適用される対物レンズ駆動装置におけるダンパ材充填後の、前方斜め上方からみた斜視図および後方斜め上方からみた斜視図を示す。
【００１８】
（対物レンズ駆動装置の概略構成）
図１〜図３にに示す対物レンズ駆動装置１は、所定の光学系を備えてＣＤあるいはＤＶＤなどの光記録ディスクに対する情報記録、情報再生を行う光ヘッド装置に用いられるものである。光ヘッド装置の装置フレームなどの構成については周知のものを用いることができるため、その詳細な説明は省略するが、対物レンズ駆動装置１は、対物レンズ２と、対物レンズ２を保持するレンズホルダ３と、レンズホルダ３をフォーカシング方向、トラッキング方向及びチルト方向に移動可能に６本のワイヤ４で支持する固定側部材７と、レンズホルダ３をフォーカシング方向、トラッキング方向、及びチルト方向に駆動する駆動機構とを備えている。
【００１９】
固定側部材７は、レンズホルダ３を先端側で支持する弾性支持部材としての６本のワイヤ４と、ワイヤ４をその基端側において支持するホルダ支持部材５と、本体フレームを構成するとともに駆動機構の一部を構成するヨーク６とから構成されている。
【００２０】
６本のワイヤ４はそれぞれ、後述するフォーカシング駆動コイル９、トラッキング駆動
コイル１０、及びチルト駆動コイル１１への給電ワイヤとしても用いられている。従って
、ワイヤ４の先端側は、レンズホルダ３に固着されている一対の中継基板１５の各々に半
田付けされて固定されている。一方、ワイヤ４の基端側には、ホルダ支持部材５の背面に
取り付けられたプリント基板１４の配線パターンに半田付けされている。また６本のワイヤ４はレンズホルダ３のトラッキング方向両側に各３本ずつ配設され、各ワイヤは、互いに対物レンズ２の光軸方向と平行な方向において間隔を空けて、対物レンズ２のレンズ面側からみてトラッキング方向とほぼ直交する方向に延びている。
【００２１】
ヨーク６は、底面部６ａと、駆動機構を構成する後述の一対の駆動マグネット１２を保
持する保持部６ｂ、６ｃとを備えている。底面部６ａは、略長方形状の磁性鋼板から形成
されており、その底面部６ａの相対向する短辺側で保持部６ｂ、６ｃが切り起こされてい
る。また、ホルダ支持部材５は、ヨーク６の底面部６ａにおける短辺側に対して接着などの固定手段によって固定されている。
【００２２】
レンズホルダ３は、トラッキング方向に直交する２つの側面と、トラッキング方向に平行な２つの側面とを備え、平面視で長方形状に形成されており、その中央部分に対物レンズ２を保持している。レンズホルダ３において、トラッキング方向に直交する２つの側面には、上述の中継基板１５、１５が固着されている。尚、以下では、レンズホルダ３のトラッキング方向に平行な２つの側面のうち、ホルダ支持部材５側の側面を基端側側面３ａとし、もう一方の側面を先端側側面３ｂとする。
【００２３】
レンズホルダ３の上面には、レンズホルダ３のフォーカシング方向の可動範囲を規制する規制面３ｃが形成されている。本形態では、先端側側面３ｂ側のトラッキング方向の両端部に２箇所、規制面３ｃ、３ｃが形成されている。この規制面３ｃ、３ｃは、例えば、図示を省略する対物レンズ駆動装置１のカバーの一部と当接することで、レンズホルダ３のフォーカシング方向（図示を省略する光記録ディスク方向）の可動範囲が規制されるようになっている。
【００２４】
なお、対物レンズ２の駆動時において可動部であるレンズホルダ３の共振を抑制するた
め、上記ホルダ支持部材５には、前記ワイヤ４の基端側が挿通され、ダンパー材としての紫外線硬化型粘性弾性体が充填される貫通孔を有する１対のダンパー材の保持部５１が形成されている。
【００２５】
（駆動機構の構成）
図４は、フォーカシング駆動コイル、トラッキング駆動コイル及びチルト駆動コイルと
駆動マグネットとの配置関係を説明する説明図である。
【００２６】
図２〜図４において、駆動機構は、レンズホルダ３の基端側側面３ａ及び先端側側面３ｂのそれぞれに配設されたフォーカシング駆動コイル９と、一対のトラッキング駆動コイル１０と、一対のチルト駆動コイル１１と、ヨーク６の保持部６ｂ、６ｃと、これらの保持部６ｂ、６ｃに保持されて各駆動コイルと対向する一対の駆動マグネット１２とから構成されている。尚、1対のチルト駆動コイル１１のみ、レンズホルダ３の基端側側面３ａおよび先端側側面３ｂに設けられた凹部（図示を省略）内に配設されている。
【００２７】
フォーカシング駆動コイル９は、偏平の巻き線型コイルであり、銅線あるいはアルミクラッド線が斜辺部を備えた台形状に巻回されて形成されている。より具体的には、フォーカシング駆動コイル９は、２つの斜辺部９ａ、９ａと、短辺側となる上辺部９ｂと、長辺側となる下辺部９ｃとを備えた略左右対称な略台形状に巻回されている。
【００２８】
トラッキング駆動コイル１０も同様に、扁平な巻き線型コイルであり、銅線あるいはア
ルミクラッド線が斜辺部を備えた台形状に巻回されて形成されている。より具体的には、
トラッキング駆動コイル１０は、２つの斜辺部１０ａ、１０ａと、短辺側となる上辺部１
０ｂと、長辺側となる下辺部１０ｃとを備えた略左右対称な台形状に巻回されている。
【００２９】
チルト駆動コイル１１は、扁平な巻き線型コイルであり、銅線あるいはアルミクラッド
線が略四角形状に巻回されて形成されている。本形態では、長さの等しい上辺部１１ａと
下辺部１１ｂとを備えた矩形状に巻回されている。
【００３０】
このようにして駆動コイル９、１０、１１が構成されているが、駆動コイル９、１０、
１１にアルミクラッド線を使用した場合には、各駆動コイルの重量を軽減することができ
る。
【００３１】
一対のチルト駆動コイル１１は、レンズホルダ３の基端側側面３ａ及び先端側側面３ｂに設けた図示を省略の凹部のそれぞれに、所定の隙間を介して図示左右方向でほぼ対称と
なるように並べられた状態で接着等により固定されて配設されている。より具体的には、
一対のチルト駆動コイル１１は、上辺部１１ａと下辺部１１ｂが図示左右方向に平行に延
びるように配設されている。ここで、一対のチルト駆動コイル１１は、それぞれの巻回方
向が異なるように巻回され、かつ、電気的に直列接続されている。また、前記凹部は、チルト駆動コイル１１の厚さよりもわずかに深く凹設されており、凹部にチルト駆動コイル１１を配設した状態では、チルト駆動コイル１１が基端側側面３ａ及び先端側側面３ｂからは突出しないようになっている。
【００３２】
フォーカシング駆動コイル９は、前記凹部を覆うように基端側側面３ａ及び先端側側面３ｂに接着等により固定されて配設されている。言い換えると、フォーカシング駆動コイル９は、基端側側面３ａ及び先端側側面３ｂにおいて、駆動マグネット１２との対向方向で一対のチルト駆動コイル１１の双方に重なるように配設されている（図１及び図４参照）。より具体的には、フォーカシング駆動コイル９は、上辺部９ｂ及び下辺部９ｃが図示左右方向に平行に延びるように配設されている。
【００３３】
一対のトラッキング駆動コイル１０は、フォーカシング駆動コイル９の斜め上方で、基
端側側面３ａ及び先端側側面３ｂに接着等により固定されて配設されている。より具体的
には、一対のトラッキング駆動コイル１０は、基端側側面３ａ及び先端側側面３ｂにおい
て、一対のトラッキング駆動コイル１０の斜辺部１０ａとフォーカシング駆動コイル９の
２つの斜辺部９ａ、９ａとが互いに隣接するようにほぼ左右対称に配設されている。ここ
で、トラッキング駆動コイル１０の一部は、凹部３ａ１及び凹部３ｂ１の一部を覆ってお
り、駆動マグネット１２との対向方向でチルト駆動コイル１１の一部と重なるようになっ
ている。
【００３４】
一対の駆動マグネット１２は、直方体状に形成されており、基端側側面３ａ及び先端側側面３ｂと対向するようにレンズホルダ３を挟み込んで、ヨーク６の保持部６ｂ、６ｃに保持されている。駆動マグネット１２におけるレンズホルダ３の基端側側面３ａまたは先端側側面３ｂとの対向面、すなわち、フォーカシング駆動コイル９、トラッキング駆動コイル１０及びチルト駆動コイル１１との対向面は、縦線部１２ｂ１、１２ｂ１と横線部１２ｂ２とからなる略Ｕ字形状の磁極分割線１２ｂ（磁極境界部分）によって分極着磁された着磁対向面１２ａとなっている。具体的には、着磁対向面１２ａでは、磁極分割線１２ｂの外側のＵ形状部分がＳ極に着磁され、磁極分割線１２ｂの内側の矩形状部分がＮ極に着磁されている。
【００３５】
図４に示すように、フォーカシング駆動コイル９は、磁極分割線１２ｂを跨ぐようにし
て、駆動マグネット１２の着磁対向面１２ａに対向して配置されている。本形態において
、フォーカシング駆動コイル９は、磁極分割線１２ｂの横線部１２ｂ２を跨ぐように配置
されている。より具体的には、フォーカシング駆動コイル９は、その図示上下方向の中心
線と磁極分割線１２ｂの横線部１２ｂ２とがほぼ一致するように配置され、上辺部９ｂと
下辺部９ｃとが異なる磁極と対向するように配置されている。従って、フォーカシング駆
動時に、上辺部９ｂと下辺部９ｃとの２辺を有効辺として使用できるようになっている。
【００３６】
一対のトラッキング駆動コイル１０も、磁極分割線１２ｂを跨ぐようにして、駆動マグ
ネット１２の着磁対向面１２ａに対向して配置されている。本形態において、一対のトラ
ッキング駆動コイル１０は、磁極分割線１２ｂの縦辺部１２ｂ１を跨ぐように配置されて
いる。より具体的には、トラッキング駆動コイル１０は、その図示左右方向の中心線と磁
極分割線１２ｂの縦辺部１２ｂ１とがほぼ一致するように配置されている。すなわち、ト
ラッキング駆動コイル１０は、上辺部１０ｂと下辺部１０ｃとが異なる磁極と対向するよ
うに配置され、トラッキング駆動時に、上辺部１０ｂと下辺部１０ｃとの２辺を有効辺と
して使用できるようになっている。
【００３７】
一対のチルト駆動コイル１１も、磁極分割線１２ｂを跨ぐようにして、駆動マグネット
１２の着磁対向面１２ａに対向して配置されている。本形態において、一対のチルト駆動
コイル１１は、磁極分割線１２ｂの横辺部１２ｂ２を跨ぐように配置されている。より具
体的には、チルト駆動コイル１１は、その図示上下方向の中心線と磁極分割線１２ｂの横
線部１２ｂ２がほぼ一致するように配置されている。すなわち、上辺部１１ａと下辺部１
１ｂとが異なる磁極と対向するように配置され、チルト駆動時に、上辺部１１ａと下辺部
１１ｂとの２辺を有効辺として使用できるようになっている。以上説明したように、本形態では、フォーカシング駆動コイル９、トラッキング駆動コイル１０及びチルト駆動コイル１１並びにこれら駆動コイルに対向配置された駆動マグネット１２とで電磁駆動手段を構成している。
【００３８】
（ダンパー材保持部の具体的構成）
図５は、本発明を適用した対物レンズ駆動装置のホルダ支持部材に設けたダンパー材保持部の構成を示す斜視図である。
【００３９】
図２、図３及び図５に基づき、対物レンズ駆動装置１におけるダンパー材を保持する保持部５１の構成を以下に説明する。
【００４０】
保持部５１は、樹脂で一体成形されたホルダ支持部材５のトラッキング方向両側にそれぞれ配置されている。この各保持部５１のそれぞれには、フォーカシング方向とほぼ平行に第１の保持部５１ａ及び第２の保持部５１ｂが配設されている。本形態では、前記保持部５１は射出成形等により前記ホルダ支持部材５と一体形成されており、ワイヤ基端側近傍に配置されている。
【００４１】
第１の保持部５１ａ及び第２の保持部５１ｂにはトラッキング方向と直交する方向即ち各ワイヤ４の長手方向（延設方向）にそれぞれ貫通孔５２としての第１の貫通孔５２ａ及び第２の貫通孔５２ｂが設けられ、その形状は平面的にみて前者はひょうたん形状に、後者は円形状に構成されている。また、前記第１の貫通孔５２ａ及び第２の貫通孔５２ｂは、前記形状を形作る内壁面５２１としての第１の内壁面５２１ａ及び第２の内壁面５２１ｂをそれぞれ有している。この各内壁面は各ワイヤの延設方向に直交する方向全体にわたり取り囲むように形成されている。
【００４２】
ワイヤ基端側の固定端と各保持部５１との間にはダンパー材が充填されない空間部としての中空部５３が介在しており、この中空部５３は、前記内壁面５２１に隣設され、ホルダ支持部材５を対物レンズ２の光軸方向とほぼ平行な方向に貫通した状態で形成されている。また、この中空部５３は、前記第１の貫通孔５２ａ及び第２の貫通孔５２ｂの各空間部と連通しており、中空部５３を介して前記第１の貫通孔５２ａ及び第２の貫通孔５２ｂを視認できるようになっている。即ち、各貫通孔５２ａ、５２ｂは図５で示される中空部５３の上方開放端側から、観察することができる。尚、本形態では、図示されない下方開放端側は、ヨーク６の底面部６ａにて塞がれた状態になっている。
【００４３】
以上のように保持部５１が構成されると、６本のワイヤ４のうち４本は２本ずつをその基端側を第１の保持部５１ａの第１の貫通孔５２ａ内に挿通させ、残り２本は１本ずつ第２の保持部５１ｂの第２の貫通孔５２ｂ内に挿通させて、プリント基板１４に取付け、ワイヤの先端側をレンズホルダ３の側面部に配設された中継基板１５に取り付けた状態で、ダンパー材としての紫外線硬化型粘性弾性体１６を第１の保持部５１ａ及び第２の保持部５１ｂに各ワイヤ４を囲繞するように各内壁面５２１ａ、５２１ｂに沿って充填した後、紫外線にて硬化し各内壁面に保持させる。尚、本形態では、前記内壁面のみにダンパー材が充填保持される。かくして、本形態においては、レンズホルダ３側から見て、ダンパー材の保持部５１ａ、５１ｂを形成する内壁面５２１ａ、５２１ｂ、中空部５３、ワイヤ４の基端側固定端の順に配置されている。すなわち、前記保持部（内壁面）は、中空部を介して前記ワイヤの基端側固定端と離間配置されている。厳密には、前記中空部５３と前記固定端との間にはプリント基板１４が取り付けられ、各ワイヤ４が挿通する孔が設けられたホルダ支持部材５の基板部分が介在している。
【００４４】
ところで、前記ダンパー材を第１の貫通孔５２ａ、第２の貫通孔５２ｂの各ワイヤの先端側寄りの各開口端から各保持部に充填するとき、ダンパー材として流動性を有しその初期粘度が１５Ｐａ・ｓ以上の紫外線硬化型粘性弾性体１６を使用するため、表面張力により各保持部の各内壁面５２１ａ、５２１ｂに十分保持される。しかも各内壁面に沿って徐々に充填されるため気泡もできにくい。また、ダンパ材の充填状態は、前記した中空部５３の開放端側から容易に確認でき、ダンパー材の充填状況の適否を判断できる。以上の通り本形態では、ホルダ支持部材５に、ダンパー材を保持する保持部５１と中空部５３とが隣接した状態にて一体形成された構成となっている。
【００４５】
なお、前記各貫通孔５２ａ、５２ｂは、各ワイヤ長の中間位置とホルダ支持部材５側のワイヤ固定端との間に位置しており、且つ前記各貫通孔５２ａ、５２ｂの空間はレンズホルダ３の各駆動方向における最大可動範囲の半分以上の大きさを有している。これは、レンズホルダ３の駆動時に、ダンパー材に囲繞された各ワイヤ４がダンパー材の中を移動せしめられるが、各ワイヤが各貫通孔の各内壁面５２１ａ、５２１ｂに干渉しない大きさを意味している。尚、各ワイヤは、ホルダ３に近い部位ほどその移動量は大きくなり、ホルダ支持部材側の固定端近傍は殆んど移動しない。即ちダンパー効果に殆んど寄与しない部位になっている。
【００４６】
（本形態の主な効果）
以上説明したように、本形態の対物レンズ駆動装置１では、中空部５３と各貫通孔５２ａ、５２ｂとが連通状態にあるため、ダンパー材の充填状態を確認しやすい。本形態では、中空部は対物レンズの光軸とほぼ平行な方向において開放状態となるように形成されているため、複数のワイヤ４を、対物レンズ２の光軸とほぼ平行な方向において間隔を空けて、対物レンズ２のレンズ面側からみてトラッキング方向とほぼ直交する方向に延設した構成においては、前記開放端側から同時に各ワイヤを囲繞するダンパー材の充填状態を確認できるという利点がある。なお、ホルダ支持部材５のトラッキング方向において開放状態となるように中空部を形成することも考えられるが、この場合、ホルダ支持部材５の側壁面５ａに大きな開口を設けるか、ワイヤの配置位置に対応する個所に複数の開口を設けて各ワイヤにおけるダンパー材の充填状態を確認せざるを得ず、ホルダ支持部材の剛性を弱める欠点がある。
【００４７】
また、本形態では、ダンパー材として紫外線硬化型粘性弾性体を使用しており、このダンパー材を硬化させるにあたっては、貫通孔５２ａ、５２ｂのワイヤ先端側からはもとより、ワイヤ基端側からも紫外線を照射でき、作業効率が向上する。
【００４８】
さらに、本形態では、ダンパー効果を殆んど持たないワイヤ基端側の固定端近傍において、ダンパ材をワイヤに囲繞させないので、ダンパー材を大幅に節約することができる。
また、ダンパー材充填後に、ワイヤをハンダでプリント基板へ電気的接続する場合には、ハンダ熱によるダンパー材のばね定数への影響も低減することができる。
【００４９】
さらにまた、本形態では、１対の保持部をホルダ支持部材と一体形成しているので、部品点数を増加させることもない。
【００５０】
（その他の実施の形態）
上記形態では、ホルダ支持部材５のトラッキング方向両側に、内周全体にわたり壁面を有する保持部５１を前記ホルダ支持部材と一体形成したが、各ワイヤ４を挟むように駆動マグネット又はヨークの側面と対向する側壁をホルダ支持部材と一体もしくは別体にて設け、このマグネット又はヨークの側面と側壁との間にダンパー材を充填してもよい。この場合にも、ワイヤ固定端近傍にはダンパー材は充填しない。
【００５１】
また、上記形態では、各内壁面を各ワイヤの延設方向に直交する方向全体にわたり取り囲むように形成したが、例えば、内壁面のうち中空部の開放端に隣接した部位を切り欠いてもよい。この場合には、ホルダ支持部材の側壁面５ａの存在により、ホルダ支持部材の剛性は十分保てる。
【００５２】
上記形態では、中空部５３の下方側開放端をヨーク６の底面部で塞ぐ構成になっているが、前記底面部６ａの一部を切欠いて下方側開放端を露出させる構成にしてもよい。こうすればダンパー材保持部となる貫通孔の両側から紫外線を照射する場合、第２の貫通孔５２ｂへのダンパー材への照射がより容易となる。
【００５３】
さらにまた、上記形態では、ダンパー材に紫外線硬化型粘性弾性体４を使用したが、熱変形等による影響がなければ熱硬化型の粘性弾性体を使用してもよい。
【図面の簡単な説明】
【００５４】
【図１】本発明が適用される対物レンズ駆動装置におけるダンパ材充填前の前方斜め上方からみた斜視図である。
【図２】本発明が適用される対物レンズ駆動装置におけるダンパ材充填後の、前方斜め上方からみた斜視図である。
【図３】本発明が適用される対物レンズ駆動装置におけるダンパ材充填後の、後方斜め上方からみた斜視図である。
【図４】フォーカシング駆動コイル、トラッキング駆動コイル及びチルト駆動コイルと駆動マグネットとの配置関係を説明する説明図である。
【図５】本発明を適用した対物レンズ駆動装置のホルダ支持部材に設けたダンパー材保持部の構成を示す斜視図である。
【符号の説明】
【００５５】
１  対物レンズ駆動装置
２  レンズホルダ
３  対物レンズ
４  ワイヤ（弾性支持部材）
５  ホルダ支持部材
６  ヨーク
７  固定側部材
１６  紫外線硬化型粘性弾性体（ダンパー材）
５１  保持部
５１ａ  第１の保持部
５１ｂ  第２の保持部
５２  貫通孔
５２ａ  第１の貫通孔
５２ｂ  第２の貫通孔
５３  中空部
５２１  内壁面
５２１ａ  第１の内壁面
５２１ｂ  第２の内壁面
【図１】
2007066411.tif 000003
【図２】
2007066411.tif 000004
【図３】
2007066411.tif 000005
【図４】
2007066411.tif 000006
【図５】
2007066411.tif 000007